(57)【要約】      （修正有）【課題】１つの電子筆記装置への筆記内容を、複数の操作者にとって取り扱いやすいように処理することができる電子筆記装置を提供する。【解決手段】電子ペンのペンＩＤをＩＤ取得部で取得するとともに電子ペンの電子筆記装置に対する移動経路情報を座標検出部で取得し、その移動経路情報をペンＩＤと対応付けて座標情報記憶領域に記憶し、移動経路情報を複数のフォルダＦＡ，ＦＢ，ＦＣを備えたサーバＳＶへ送信する際、ＣＰＵは通信制御部の送信を、電子ペンのペンＩＤが特定のペンＩＤであった場合には固有のノートＩＤ及び特定のペンＩＤに対応した１つのフォルダＦＢへ記憶するための送信を行い、電子ペンのペンＩＤが特定のペンＩＤ以外の他のペンＩＤであった場合には他のペンＩＤに対応したフォルダＦＡ，ＦＣと、固有のノートＩＤに対応したフォルダＦＢと、の両方へ記憶する。【選択図】図９
2015069556.tif 000002
【特許請求の範囲】
【請求項１】
固有の筆記具識別情報をそれぞれ備えた複数の筆記具のうち、特定の１つの筆記具の特定の前記筆記具識別情報と１対１に対応可能な固有の装置識別情報を備えた電子筆記装置であって、
前記複数の筆記具のうち、筆記動作に伴って前記電子筆記装置に対して相対移動する筆記具より前記筆記具識別情報を取得する筆記具識別情報取得手段と、
前記筆記具識別情報取得手段により前記筆記具識別情報を取得された前記筆記具の、前記電子筆記装置に対する相対移動経路に関連する情報である移動経路情報を取得する移動経路情報取得手段と、
前記移動経路情報取得手段により取得された前記移動経路情報を、前記筆記具識別情報取得手段により取得された前記筆記具識別情報と対応付けて記憶する情報記憶手段と、
前記情報記憶手段に記憶された前記移動経路情報を複数種類のフィルタリング機能を備えた外部記憶装置へ記憶させるために送信する送信手段と、
前記送信手段の送信を、
（ｉ）前記送信手段によって送信される前記移動経路情報に対応する前記筆記具識別情報が、前記特定の筆記具識別情報であった場合には、前記固有の装置識別情報及び当該特定の筆記具識別情報に対応した１つの前記フィルタリング機能を実現可能となる記憶処理を、前記外部記憶装置が実行するように；
（ｉｉ）前記送信手段によって送信される前記移動経路情報に対応する前記筆記具識別情報が、前記特定の筆記具識別情報以外の他の筆記具識別情報であった場合には、前記他の筆記具識別情報に対応した前記フィルタリング機能と、前記固有の装置識別情報に対応した前記フィルタリング機能と、の両方を実現可能となる記憶処理を、前記外部記憶装置が実行するように；
制御する、送信制御手段と、
を有することを特徴とする電子筆記装置。
【請求項２】
請求項１記載の電子筆記装置において、
前記外部記憶装置は、
複数の格納領域を備えており、
前記送信制御手段は、前記送信手段の送信を、
（ｉ）前記送信手段によって送信される前記移動経路情報に対応する前記筆記具識別情報が、前記特定の筆記具識別情報であった場合には、前記複数の格納領域のうち、前記固有の装置識別情報及び当該特定の筆記具識別情報に対応した１つの前記格納領域へ記憶するための送信を行うように；
（ｉｉ）前記送信手段によって送信される前記移動経路情報に対応する前記筆記具識別情報が、前記特定の筆記具識別情報以外の他の筆記具識別情報であった場合には、前記複数の格納領域のうち、前記他の筆記具識別情報に対応した少なくとも１つの前記格納領域と、前記固有の装置識別情報に対応した１つの前記格納領域と、の両方へ記憶するための送信を行うように；制御する、
ことを特徴とする電子筆記装置。
【請求項３】
請求項２記載の電子筆記装置において、
前記情報記憶手段は、
前記移動経路情報を、前記電子筆記装置に載置されて前記筆記具による記載が行われる被筆記媒体のページごとに、対応する少なくとも１つの前記筆記具識別情報と対応付けて記憶し、
前記送信制御手段は、前記送信手段の送信を、
（ｉ）前記情報記憶手段に記憶された１つのページの前記移動経路情報に係わる前記筆記具識別情報が、前記特定の筆記具識別情報のみであった場合には、当該１つのページの前記移動経路情報を、前記固有の装置識別情報及び当該特定の筆記具識別情報に対応した、１つの前記格納領域へ記憶するための送信を行うように；
（ｉｉ）前記情報記憶手段に記憶された１つのページの前記移動経路情報に係わる前記筆記具識別情報が、前記特定の筆記具識別情報以外の他の筆記具識別情報を含む場合には、当該１つのページの前記移動経路情報を、前記他の筆記具識別情報に対応した前記格納領域と、前記固有の装置識別情報に対応した前記格納領域と、の両方へ記憶するための送信を行うように；
制御することを特徴とする電子筆記装置。
【請求項４】
請求項２又は請求項３記載の電子筆記装置において、
前記移動経路情報取得手段により取得された前記移動経路情報に基づき、前記電子筆記装置に載置されて前記筆記具による記載が行われる被筆記媒体に備えられ前記外部記憶装置への格納指示を行う格納指示記入欄への記入を検出する、格納指示検出手段をさらに有し、
前記送信制御手段は、
前記格納指示検出手段で前記格納指示記入欄への記入が検出されたことを契機に前記送信を行うように、前記送信手段を制御する
ことを特徴とする電子筆記装置。
【請求項５】
請求項２乃至請求項４のいずれか１項記載の電子筆記装置において、
前記送信制御手段は、
前記情報記憶手段に記憶された前記移動経路情報に対し、対応する前記格納領域の格納領域識別情報を付与して送信するよう、前記送信手段を制御する
ことを特徴とする電子筆記装置。
【請求項６】
請求項２乃至請求項５のいずれか１項記載の電子筆記装置において、
前記外部記憶装置の前記格納領域は、
前記装置識別情報の一致に対応した第１小領域と、前記筆記具識別情報の一致に対応した第２小領域と、を備えており、
前記送信制御手段は、前記送信手段の送信を、
（ｉ）前記情報記憶手段に記憶された前記移動経路情報に係わる前記筆記具識別情報が、前記特定の筆記具識別情報であった場合には、前記固有の装置識別情報及び当該特定の筆記具識別情報に対応した、１つの前記格納領域の、前記第１小領域及び前記第２小領域の両方へそれぞれ記憶するための送信を行うように；
（ｉｉ）前記情報記憶手段に記憶された前記移動経路情報に係わる前記筆記具識別情報が、前記特定の筆記具識別情報以外の他の筆記具識別情報であった場合には、前記他の筆記具識別情報に対応した前記格納領域の前記第２小領域と、前記固有の装置識別情報に対応した前記格納領域の前記第１小領域と、の両方へ記憶するための送信を行うように；
制御する
ことを特徴とする電子筆記装置。
【請求項７】
請求項２乃至請求項６のいずれか１項記載の電子筆記装置において、
前記移動経路情報取得手段により取得された前記移動経路情報に基づき、前記電子筆記装置に載置されて前記筆記具による記載が行われる被筆記媒体への記載を略包囲する包囲線を検出する包囲線検出手段を有し、
前記外部記憶装置の前記格納領域は、
前記包囲線検出手段による検出時に対応した第３小領域を備えており、
前記送信制御手段は、前記送信手段の送信を、
（ｉ）前記情報記憶手段に記憶された前記移動経路情報に係わる前記筆記具識別情報が、前記特定の筆記具識別情報であり、かつ、前記包囲線検出手段により前記包囲線が検出された場合には、当該情報記憶手段に記憶された前記移動経路情報のうち、前記包囲線に略包囲された前記記載に対応した前記移動経路情報を、前記固有の装置識別情報及び当該特定の筆記具識別情報に対応した、１つの前記格納領域の、前記第３小領域へ記憶するための送信を行うように；
（ｉｉ）前記情報記憶手段に記憶された前記移動経路情報に係わる前記筆記具識別情報が、前記特定の筆記具識別情報以外の他の筆記具識別情報であり、かつ、前記包囲線検出手段により前記包囲線が検出された場合には、当該情報記憶手段に記憶された前記移動経路情報のうち、前記包囲線に略包囲された前記記載に対応した前記移動経路情報を、前記他の筆記具識別情報に対応した前記格納領域の、前記第３小領域へ記憶するための送信を行うように；
制御する
ことを特徴とする電子筆記装置。
【請求項８】
固有の筆記具識別情報をそれぞれ備えた複数の筆記具のうち、特定の１つの筆記具の特定の前記筆記具識別情報と１対１に対応可能な固有の装置識別情報を備えた電子筆記装置と、
を有する電子筆記システムであって、
前記電子筆記装置は、
前記複数の筆記具のうち、筆記動作に伴って前記電子筆記装置に対して相対移動する前記筆記具より前記筆記具識別情報を取得する筆記具識別情報取得手段と、
前記筆記具識別情報取得手段により前記筆記具識別情報を取得された前記筆記具の前記電子筆記装置に対する相対移動経路に関連する情報である移動経路情報を取得する移動経路情報取得手段と、
前記移動経路情報取得手段で取得された前記移動経路情報を、前記筆記具識別情報取得手段により取得された前記筆記具識別情報と対応付けて記憶する情報記憶手段と、
前記情報記憶手段に記憶された前記移動経路情報を複数種類のフィルタリング機能を備えた外部記憶装置へ記憶させるために送信する送信手段と、
を有し、
前記外部記憶装置は、
前記送信手段により送信された前記移動経路情報に係わる前記筆記具識別情報が、前記特定の筆記具識別情報であった場合は、当該記憶された前記移動経路情報の読み出し時に、前記固有の装置識別情報及び当該特定の筆記具識別情報に対応した１つの前記フィルタリング機能を実行する第１フィルタリング手段と、
前記送信手段により送信された前記移動経路情報に係わる前記筆記具識別情報が、前記特定の筆記具識別情報以外の他の筆記具識別情報であった場合は、当該記憶された前記移動経路情報の読み出し時に、前記他の筆記具識別情報に対応した前記フィルタリング機能を実行する第２フィルタリング手段、及び、前記固有の装置識別情報に対応した前記フィルタリング機能を実行する第３フィルタリング手段と、
を有する
ことを特徴とする電子筆記システム。
【請求項９】
固有の筆記具識別情報をそれぞれ備えた複数の筆記具のうち、特定の１つの筆記具の特定の前記筆記具識別情報と１対１に対応可能な固有の装置識別情報を備えた電子筆記装置に備えられた、演算手段に対し、
前記複数の筆記具のうち、筆記動作に伴って前記電子筆記装置に対して相対移動する筆記具より前記筆記具識別情報を取得する筆記具識別情報取得手順と、
前記筆記具識別情報取得手段により前記筆記具識別情報を取得された前記筆記具の前記電子筆記装置に対する相対移動経路に関連する情報である移動経路情報を取得する移動経路情報取得手順と、
前記移動経路情報取得手順で取得された前記移動経路情報を、前記筆記具識別情報取得手順で取得された前記筆記具識別情報と対応付けて記憶する情報記憶手順と、
前記情報記憶手順で記憶された前記移動経路情報に対し、
（ｉ）前記情報記憶手順で記憶された前記移動経路情報に係わる前記筆記具識別情報が、前記特定の筆記具識別情報であった場合には、前記固有の装置識別情報及び当該特定の筆記具識別情報に対応した１つの前記フィルタリング機能を実現可能となる記憶処理を、前記外部記憶装置が実行するための通信を行うか；若しくは
（ｉｉ）前記情報記憶手段で記憶された前記移動経路情報に係わる前記筆記具識別情報が、前記特定の筆記具識別情報以外の他の筆記具識別情報であった場合には、前記他の筆記具識別情報に対応した前記フィルタリング機能と、前記固有の装置識別情報に対応した前記フィルタリング機能と、の両方を実現可能となる記憶処理を、前記外部記憶装置が実行するための通信を行う；
通信制御手順と、
を実行させるための電子筆記処理プログラム。
【発明の詳細な説明】
【背景技術】
【０００１】
操作者が筆記具を用いて筆記した内容を電子データ化する電子筆記装置が既に知られている（例えば、特許文献１参照）。
【０００２】
この従来技術では、デジタルペンによる手書きデータをそのデジタルペンに固有のペンＩＤと共に送信するデジタルペンを複数備える。そして、これら複数のデジタルペンから送信されたそれぞれの手書データは、それぞれのペンＩＤに対応づけてデータベースに記憶される。
【先行技術文献】
【特許文献】
【０００３】
【特許文献１】特開２００９−０８６８５７号公報
【発明の概要】
【発明が解決しようとする課題】
【０００４】
例えば、会議や打ち合わせ等において、１つの電子筆記装置に対して、複数の参加者がそれぞれ自身の筆記具を用いて筆記した場合、上述した従来技術では、単に、それぞれの手書データが、それぞれのペンＩＤに対応づけてデータベースに記憶されるだけであるため、利便性に劣るという問題が生じていた。
【０００５】
本発明の目的は、１つの電子筆記装置に対し複数の操作者による筆記が行われた場合であっても、その筆記内容である移動経路情報を、その後各操作者にとって取り扱いやすいように処理することができ、各操作者にとっての利便性を高めることができる電子筆記装置及び筆記データ処理装置を提供することにある。
【課題を解決するための手段】
【０００６】
上記目的を達成するために、本願発明は、固有の筆記具識別情報をそれぞれ備えた複数の筆記具のうち、特定の１つの筆記具の特定の前記筆記具識別情報と１対１に対応可能な固有の装置識別情報を備えた電子筆記装置であって、前記複数の筆記具のうち、筆記動作に伴って前記電子筆記装置に対して相対移動する筆記具より前記筆記具識別情報を取得する筆記具識別情報取得手段と、前記筆記具識別情報取得手段により前記筆記具識別情報を取得された前記筆記具の、前記電子筆記装置に対する相対移動経路に関連する情報である移動経路情報を取得する移動経路情報取得手段と、前記移動経路情報取得手段により取得された前記移動経路情報を、前記筆記具識別情報取得手段により取得された前記筆記具識別情報と対応付けて記憶する情報記憶手段と、前記情報記憶手段に記憶された前記移動経路情報を複数種類のフィルタリング機能を備えた外部記憶装置へ記憶させるために送信する送信手段と、前記送信手段の送信を、
（ｉ）前記送信手段によって送信される前記移動経路情報に対応する前記筆記具識別情報が、前記特定の筆記具識別情報であった場合には、前記固有の装置識別情報及び当該特定の筆記具識別情報に対応した１つの前記フィルタリング機能を実現可能となる記憶処理を、前記外部記憶装置が実行するように；
（ｉｉ）前記送信手段によって送信される前記移動経路情報に対応する前記筆記具識別情報が、前記特定の筆記具識別情報以外の他の筆記具識別情報であった場合には、前記他の筆記具識別情報に対応した前記フィルタリング機能と、前記固有の装置識別情報に対応した前記フィルタリング機能と、の両方を実現可能となる記憶処理を、前記外部記憶装置が実行するように；
制御する、送信制御手段と、を有することを特徴とする。
【０００７】
筆記具を用いて操作者によって筆記が行われると、その筆記動作による筆記具の電子筆記装置に対する相対移動経路に関連する情報である移動経路情報が移動経路情報取得手段によって取得される。取得された移動経路情報は、情報記憶手段によって記憶された後、送信手段を介し送信される。外部記憶装置は、最終的に、上記移動経路情報を記憶する。これにより、操作者による筆記内容である移動経路情報が外部記憶装置に記憶される。
【０００８】
ここで、本願発明の電子筆記装置は、複数の筆記具の移動経路情報を取得可能に構成されている。したがって、複数の操作者がそれぞれ筆記具を用いてほぼ同時期に同一の電子筆記装置に対して筆記動作を行う場合がある。
【０００９】
本願発明の電子筆記装置には、固有の装置識別情報が与えられる。また、複数の筆記具それぞれにも固有の筆記具識別情報が与えられる。そして、本願発明の電子筆記装置は、特定の筆記具の特定の筆記具識別情報と１対１に対応（いわゆるペアリング）可能となっており、当該特定の筆記具による筆記内容と、それ以外の筆記具の筆記内容とで、上述の送信手段による送信における態様を異ならせる。
【００１０】
そのために、本願発明の電子筆記装置には、筆記具識別情報取得手段が設けられており、この筆記具識別情報取得手段によって、各筆記具のうち筆記動作に伴って電子筆記装置に対して相対移動する筆記具より筆記具識別情報が取得される。そして、前述のようにして筆記具識別情報取得手段により筆記具識別情報を取得された筆記具の電子筆記装置に対する相対移動経路に関連する情報である移動経路情報は、対応する各筆記具の筆記具識別情報に対応付けて、上記情報記憶手段に記憶される。そして、記憶された移動経路情報が読み出されて、上記送信手段によって送信される。
【００１１】
このとき、本願発明の電子筆記装置には、移動経路情報の送信を行う送信手段を制御する送信制御手段が設けられており、上記送信された移動経路情報を上記外部記憶装置が最終的に処理するときに、前述した各操作者の便宜となるような処理を行えるように、送信制御を行う。
【００１２】
すなわち、移動経路情報に係わる筆記具識別情報が上記特定の筆記具識別情報であった場合（すなわち当該電子筆記装置と１対１で対応付けられたペアリングされた筆記具であった場合）には、外部記憶装置が、移動経路情報に対して、当該筆記具及び当該電子筆記装置に対応して（言い替えれば、当該電子筆記装置及びペアリングされた筆記具に係わる特定のユーザに対応して）予め設定された１つのフィルタリング機能を行えるような態様とする。
【００１３】
具体的には、この場合は、移動経路情報は上記特定のユーザによる筆記内容と決定されることから、当該移動経路情報が、他の移動経路情報と区別する形で外部記憶装置の特定の１つの格納領域（言い替えれば上記特定のユーザに対応した格納領域）に格納される。あるいは、上記移動経路情報は他の移動経路情報と区別せず記憶されるが、外部記憶装置から読み出して表示するときに上記特定の１つの格納領域に格納したのと同等の抽出処理が行われる。
【００１４】
また、上記移動経路情報に係わる筆記具識別情報が上記特定の筆記具識別情報以外の他の筆記具識別情報であった場合（すなわち当該電子筆記装置とペアリングされた筆記具以外の筆記具であった場合）には、外部記憶装置が、上記移動経路情報に対して、上記同様の当該電子筆記装置に対応して（言い替えれば、上記特定のユーザに対応して）予め設定されたフィルタリング機能と、上記他の筆記具識別情報に対応して（言い替えれば、上記特定ユーザでない他のユーザに対応して）予め設定されたフィルタリング機能と、を行えるような態様とする。
【００１５】
具体的には、この場合は、電子筆記装置の持ち主と筆記具の持ち主とが一致せず、上記移動経路情報は筆記具の持ち主による筆記内容とも考えられると共に、電子筆記装置の持ち主による筆記内容とも考えられる。したがって、当該移動経路情報は、上記と同様に外部記憶装置の特定の１つの格納領域（上記特定のユーザに対応した格納領域）に格納されるか、外部記憶装置から読み出して表示するときに上記特定の格納領域に格納したのと同等の抽出処理が行われる。またこれに加え、当該移動経路情報はさらに、上記他の筆記具識別情報に対応した外部記憶装置の少なくとも１つの格納領域（言い替えれば上記特定のユーザ以外の他のユーザに対応した格納領域）に格納される。あるいは、上記移動経路情報が他の移動経路情報と区別せず記憶されるが、外部記憶装置から読み出して表示するときに上記少なくとも１つの格納領域に格納したのと同等の抽出処理が行われる。
【００１６】
以上の結果、本願発明においては、例えば、電子筆記装置の持ち主と筆記具の持ち主とが一致している移動経路情報については、当該持ち主のみに対応した記憶処理の態様とすることができる。また、電子筆記装置の持ち主と筆記具の持ち主とが一致していない移動経路情報については、電子筆記装置の持ち主と筆記具の持ち主との両方に対応した記憶処理の態様とすることができる。これにより、１つの電子筆記装置に対し複数の操作者による筆記が行われた場合であっても、その筆記内容である移動経路情報を、その後各操作者にとって取り扱いやすいように処理することができる。これにより、各操作者にとっての利便性を高めることができる。
【発明の効果】
【００１７】
本発明によれば、１つの電子筆記装置への筆記内容を、複数の操作者にとって取り扱いやすいように処理することができ、利便性を向上することができる。
【図面の簡単な説明】
【００１８】
【図１】本発明の一実施形態の電子筆記装置を備えた手書き入力システムの全体構成を表すシステム構成図である。
【図２】本発明の一実施形態の電子筆記装置の説明図である。
【図３】用紙に対し筆記内容が記入された場合の例を表す説明図である。
【図４】本発明の一実施形態の電子筆記装置の電気的構成を表す機能ブロック図である。
【図５】ストロークデータ取得の一例を説明する説明図である。
【図６】ストロークデータにおけるペン位置番号と座標情報との対応付けの一例を説明する説明図である。
【図７】ストロークデータと電子ペンとの対応付けの一例を説明する説明図である。
【図８】電子筆記装置のノートＩＤと電子ペンのペンＩＤとが一致しているストロークデータとサーバのフォルダへの振分保存の一例を表す説明図である。
【図９】電子筆記装置のノートＩＤに対して電子ペンのペンＩＤが混在しているストロークデータとサーバのフォルダへの振分保存の一例を表す説明図である。
【図１０】電子筆記装置のノートＩＤに対して電子ペンのペンＩＤが混在しているストロークデータとサーバのフォルダへの振分保存の他例を表す説明図である。
【図１１】電子筆記装置のＣＰＵが実行する制御手順を表すフローチャートである。
【図１２】サーバのＣＰＵが実行する制御手順を表すフローチャートである。
【図１３】ストロークデータを保存処理する変形例１を示す説明図である。
【図１４】サブフォルダに振り分ける変形例２を表す説明図である。
【図１５】ＴＯＤＯフォルダに振り分ける変形例３を表す説明図である。
【発明を実施するための形態】
【００１９】
以下、本発明の一実施形態を図面を参照しつつ説明する。
【００２０】
＜システム概略＞
図１に、本実施形態の電子筆記装置２を備えた電子筆記システム１を示す。なお、以下の説明では、図１の紙面の上側、下側、右側、左側、手前側、奥行き側を、それぞれ、電子筆記装置２の上側、下側、右側、左側、手前側、奥行き側と定義して説明する。
【００２１】
図１に示すように、電子筆記システム１は、電子筆記装置２と、いわゆる電磁誘導式の電子ペン３（筆記具）と、サーバＳＶと、操作処理端末４００と、を備え、ネットワークＮＴを介して通信可能となっている。
【００２２】
本実施の形態における電子筆記システム１では、複数の電子筆記装置２と電子ペン３とがサーバＳＶに接続可能となっている。
【００２３】
このため、各電子ペン３は固有の筆記具識別情報（ペンＩＤ＝３Ａ，３Ｂ，３Ｃ…３Ｎ）をそれぞれ備えており、電子筆記装置２は特定の１つの電子ペン３の特定の筆記具識別情報（ペンＩＤ＝３Ａ，３Ｂ，３Ｃ…３Ｎ）と１対１で対応可能な固有の装置識別情報（ノートＩＤ＝２Ａ，２Ｂ，２Ｃ…２Ｎ）を備えている。
【００２４】
なお、電子筆記装置２と電子ペン３との対応関係は、あらかじめ設定されていてもよいし、個別に設定したうえで対応付けして利用するようにしても良い。この場合、電子筆記装置２は、例えば、電子ペン３との対応付けのための対応モード等を備え、赤外通信等によって電子ペン３との対応関係を自動で設定するようにすることも可能である。
【００２５】
＜電子筆記装置＞
電子筆記装置２は、図２に示すように、平面視で上下方向に長い薄型の直方体状の形状を備えている。電子筆記装置２の右上部には、種々の情報を表示可能な小型のディスプレイ２１が設けられている。ディスプレイ２１の左側には、ユーザが電子筆記装置２を操作するための入力部２２が設けられている。ディスプレイ２１及び入力部２２の下側には、電子筆記装置２の手前側の大部分を占めるように、凹部形状の載置部２３が設けられている。載置部２３には、例えば、図３に示す被筆記媒体としての用紙７０が載置され、また当該載置部２３とほぼ同一の範囲となるように座標検出部２４が設けられている。
【００２６】
用紙７０には、ユーザが所望の文字・図形・数字・記号・符号等（以下単に「筆記内容Ｒ」という。）を自由に記載することが可能なフリー書込領域７１が設けられている。
【００２７】
座標検出部２４は、電子ペン３の位置を表す座標情報（例えば、載置部２３の左上部を原点（０，０）とする。詳細は後述）を検出する。そして、載置部２３は、用紙７０を、この例では用紙７０の左上の隅部が上記原点に一致する姿勢で保持する。なお、電子筆記装置２は、この例では、例えば無線（又は有線でもよい）通信により、ネットワークＮＷを介し、外部記憶装置としてのサーバＳＶに接続されている。
【００２８】
なお、電子筆記装置２には、表示装置４が接続可能となっており、ユーザが電子筆記装置２の載置部２３に載置した用紙７０の外観に相当する画像データや、ユーザによる用紙７０への筆記内容に相当する後述するストロークデータの集合体を表示することができる。
【００２９】
＜電子ペン＞
以下の説明では、電子ペン３において、芯３１のペン先３２が設けられている方向を先端方向という。また、先端方向の反対方向を後端方向という。電子ペン３は、この例では、芯３１と、検出スイッチ３３と、ボタン型の電池３４と、コイル３５と、基板３６と、を備えている。芯３１は金属製であり、ペン先３２とインク収納部３７とを備えている。また、芯３１は、電子ペン３の先端部の内部に設けられ、そのペン先３２が外部に突出している。インク収納部３７にはインクが収納され、当該インクはペン先３２に供給される。これにより、ユーザ（操作者）は、電子ペン３を使用して用紙７０に所望の文字や図形等を記載することができる。
【００３０】
芯３１の後端方向には、上記基板３６が設けられている。基板３６の先端部には検出スイッチ３３が実装され、基板３６の後端方向には上記電池３４が設けられている。電池３４は基板３６に接続されており、電池３４のマイナス側の電極は、基板３６上の配線を介し上記コイル３５に電気的に接続されている。また、電池３４のプラス側の電極は、基板３６上の配線を介し上記検出スイッチ３３に電気的に接続されている。検出スイッチ３３は、基板３６上の配線を介しコイル３５に電気的に接続されている。コイル３５は、電子ペン３の内部の先端部において芯３１の周囲に巻回されている。
【００３１】
＜電子ペンの座標情報の検出＞
ここで、芯３１は、図示しない弾性部材により常に先端方向に付勢されている。芯３１は、ユーザが用紙７０に文字等を記載する場合の押圧力によって、上記弾性部材の付勢力に抗して電子ペン３の内部にやや退入する。この退入によって、芯３１の後端部が検出スイッチ３３を押下し、検出スイッチ３３がオン状態になる。これによって、電池３４とコイル３５とが導通して電池３４からコイル３５に向かって電流が流れ、コイル３５に電流が流れることで磁界が発生する。
【００３２】
電子筆記装置２の座標検出部２４は、上記のようにしてコイル３５から発生する磁界を電磁誘導に基づき検出する。なお、この検出は公知の手法で足りるので、詳細な説明は省略する。この座標検出部２４の検出結果に基づき、ＣＰＵ２０１は、ユーザが電子ペン３を用いて用紙７０へ筆記動作を行ったときの電子ペン３の移動に対応する、複数の位置情報（すなわち、上記座標情報）を取得する。なお、前述したように、本実施形態では、座標検出部２４の左上部の座標（Ｘ，Ｙ）を原点（０，０）とし、右方向をＸ軸、下方向をＹ軸とする座標系を用いる。すなわち、Ｘ座標の値が座標検出部２４（載置部２３）における左右方向の位置を表し、Ｙ座標の値が上下方向の位置を表す。
【００３３】
＜電子筆記装置の電気的構成＞
図４を参照して、電子筆記装置２の電気的構成について説明する。図４に示すように、電子筆記装置２は、電子筆記装置２の制御を行うＣＰＵ２０１と、電子筆記装置２の制御用プログラムを格納したＲＯＭ２０２と、種々のデータが一時的に記憶されるＲＡＭ２０３と、フラッシュメモリ２０４と、入力部２２と、駆動回路２０６，２０９，２１０と、前述のネットワークＮＷを介したサーバＳＶとの情報送受信の制御を行う通信制御部２０７と、座標検出部２４で座標入力をしている電子ペン３の筆記具識別情報（以下、電子ペン３を特定しない場合には、単に「ペンＩＤ」と称する）を取得するＩＤ読取部２１１と、を備えている。すなわち、ＩＤ読取部２１１は、複数の電子ペン３のうち、筆記動作に伴って用紙７０（座標検出部２４）に対して相対移動する電子ペン３よりペンＩＤを取得する筆記具識別情報取得手段を構成している。
【００３４】
ＲＯＭ２０２、ＲＡＭ２０３、及びフラッシュメモリ２０４は、ＣＰＵ２０１に電気的に接続されている。ＲＯＭ２０２は、プログラム記憶領域２０２１と、画像データ記憶領域２０２２と、ノートＩＤ記憶領域２０２３と、ペンＩＤ記憶領域２０２４と、を備えている。
【００３５】
プログラム記憶領域２０２１には、ＣＰＵ２０１が電子筆記装置２を制御するために実行する各種プログラム（後述の図８以降に示す制御内容のデータ処理方法を実行するプログラム等）が記憶されている。
【００３６】
画像データ記憶領域２０２２には、用紙７０のフォーマット情報に対応した画像のデータが記憶されている。
【００３７】
ノートＩＤ記憶領域２０２３には、電子筆記装置２の固有の装置識別情報（以下、電子筆記装置２を特定しない場合には、単に「ノートＩＤ」と称する）が記憶されている。ペンＩＤ記憶領域２０２４は、予め設定している場合には、固有のペンＩＤがノートＩＤ記憶領域２０２３に記憶されたノートＩＤと対応付けした状態で記憶されている。これにより、特定の１つの電子ペン３の特定のペンＩＤと１対１に対応した固有のノートＩＤを備えた電子筆記装置２とすることができる。
【００３８】
フラッシュメモリ２０４は、座標情報記憶領域２０４１と、ペンＩＤ記憶領域２０４２と、を備えている。座標情報記憶領域２０４１には、座標情報データテーブルが記憶される。
【００３９】
ペンＩＤ記憶領域２０４２には、ペンＩＤ記憶領域２０２４に記憶された固有のペンＩＤとは別の電子ペン３による筆記がなされた場合に、ＩＤ読取部２１１で取得したその別の電子ペン３の固有のペンＩＤが記憶される。
【００４０】
入力部２２及び駆動回路２０６，２０９，２１０は、ＣＰＵ２０１と電気的に接続されている。駆動回路２０６，２０９は、それぞれ、ディスプレイ２１及び座標検出部２４を駆動するための電子回路である。駆動回路２１０は、表示装置４に画像を表示させるための電子回路である。
【００４１】
＜ストロークデータの生成＞
次に、図５及び図６を用いて、ストロークデータについて説明する。ストロークデータは、上記座標検出部２４の検出結果に基づきＣＰＵ２０１で取得された複数の座標情報からなる、ペン位置データ列である。図５及び図６には、２つのストロークデータ「ａ」「ｂ」の例を示している。
【００４２】
図５及び図６において、第１ストロークデータ「ａ」は、電子ペン３による文字「ａ」の書き始めから書き終わりまでの一筆書き部分の軌跡を表すデータであり、時系列に沿って、ペン位置番号Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）を含む（図５参照）。また、第２ストロークデータ「ｂ」は、電子ペン３による文字「ｂ」の書き始めから書き終わりまでの一筆書き部分の軌跡を表すデータであり、時系列に沿って、ペン位置番号Ｔ１２，Ｔ１３，・・，Ｔ２１それぞれに対応した、１０個の座標情報（Ｘ１２，Ｙ１２），（Ｘ１３，Ｙ１３），・・（Ｘ２１，Ｙ２１）を含む（図５参照）。このようにして、ＣＰＵ２０１は、座標検出部２４の検出結果に応じた複数の座標情報を用いて、ユーザが電子ペン３を用いて用紙７０へ記載した内容に対応した、ストロークデータを生成する。なお、このようにしてそれぞれ生成された複数のストロークデータの集合体が、電子ペン３による電子筆記装置２に対する相対移動経路に関連する情報として各請求項記載の移動経路情報に相当している。
【００４３】
したがって、ＩＤ読取部２１１で取得したペンＩＤ毎の電子ペン３の電子筆記装置２に対する相対移動経路に関連する情報である移動経路情報を座標検出部２４で取得し、そのストロークデータとペンＩＤとが対応付けされて座標情報記憶領域２０４１又はＲＡＭ２０３に記憶される。なお、座標情報記憶領域２０４１又はＲＡＭ２０３は各請求項の情報記憶手段に相当する。また、以下の説明においては、座標情報記憶領域２０４１に記憶されるものとして説明する。
【００４４】
すなわち、座標情報記憶領域２０４１には、例えば、図７に示すように、電子ペン３Ａを用いた第１ストロークから第１５ストロークまでのストロークデータはペンＩＤ＝Ａに対応させ、電子ペン３Ｂを用いた第１６ストロークから第２１ストロークまでのストロークデータはペンＩＤ＝Ｂに対応させ、電子ペン３Ｃを用いた第２２ストロークから第２９ストロークまでのストロークデータはペンＩＤ＝Ｃに対応させて、記憶することができる。
【００４５】
また、通信制御部２０７は、座標情報記憶領域２０４１に記憶されたペンＩＤと対応付けしたストロークデータ（移動経路情報）を複数種類のフィルタリング機能（フォルダ）を備えたサーバＳＶへ記憶させるために送信する送信手段を構成している。
【００４６】
ところで、上記ストロークデータは、例えば、公知のＯＣＲ機能を利用して文字等であればテキスト化することができる。そして、このＯＣＲ機能は、電子筆記装置２、電子ペン３、サーバＳＶ、操作処理端末４００の何れにおいても変換処理を実行することができる。なお、このテキスト化した場合においても、何れの電子ペン３を用いたものなのかの対応受けを行うことは勿論である。
【００４７】
図１において、操作処理端末４００は、電子筆記装置２及びサーバＳＶと、有線あるいは無線によるネットワークＮＷを介して情報送受信可能に接続されている。操作処理端末４００は、例えば、パーソナルコンピュータにより構成されており、液晶ディスプレイ等の表示部４０１と、キーボードやマウス等の操作部４０２と、を有する。また、操作処理端末４００は、公知のパーソナルコンピュータと同様に、記憶装置と、通信インターフェースと、ＣＰＵと、ＲＯＭと、ＲＡＭと、等を有する。
【００４８】
操作処理端末４００の記憶装置は、例えば、ハードディスク等を備えた適宜の大容量記憶装置である。通信インターフェースは、電子筆記装置２の通信制御部２０７に対し、ネットワークＮＷを介して情報送受信可能に接続される。表示部４０１は、例えば液晶ディスプレイにより構成され、ユーザに対し、電子筆記装置２の表示部２１と同様の表示を行う。操作処理端末４００側のＣＰＵは、操作処理端末４００のＲＡＭの一時記憶機能を利用しつつ、操作処理端末４００のＲＯＭ（又は記憶装置）に予め記憶された制御プログラムを実行する。これにより、ＣＰＵは、操作処理端末４００全体の制御を行う。
【００４９】
これにより、ネットワークＮＷを介し電子筆記装置２に対し接続された操作処理端末４００は、電子筆記装置２で検出した電子ペン３の位置情報を取得した後のストロークデータの生成を行うことができ、そのストロークデータをネットワークＮＴを介してサーバＳＶに記憶することができる。また、操作処理端末４００は、必要に応じてサーバＳＶからストロークデータを呼び出して再表示することも可能である。なお、操作処理端末４００は、パーソナルコンピュータである他、公知のスマートフォン等を利用してもよい。
【００５０】
＜本実施形態の特徴＞
以上の基本構成において、本実施形態の特徴は、
（ｉ）通信制御部２０７によって送信されるストロークデータに対応するペンＩＤが、特定のペンＩＤ（ペンＩＤ＝Ｂ）であった場合には、複数の格納領域（フォルダ「ＦＡ」「ＦＢ」「ＦＣ」「ＦＴＤ」）のうち、固有のノートＩＤ（ノートＩＤ＝Ｂ）及び特定のペンＩＤ（ペンＩＤ＝Ｂ）に対応した１つの格納領域（フォルダＦＢ）へ記憶するための送信を行うように；
（ｉｉ）通信制御部２０７によって送信されるストロークデータに対応するペンＩＤが、特定のペンＩＤ（ペンＩＤ＝Ｂ）以外の他のペンＩＤ（ペンＩＤ＝Ａ，Ｃ）であった場合には、複数の格納領域（フォルダ「ＦＡ」「ＦＢ」「ＦＣ」「ＦＴＤ」）のうち、他のペンＩＤ（ペンＩＤ＝Ａ，Ｃ）に対応した少なくとも１つの格納領域（フォルダＦＡ，ＦＣ）と、固有のノートＩＤに対応した１つの格納領域（フォルダＦＢ）と、の両方へ記憶するための送信を行うように；
電子筆記装置２のＣＰＵ２０１（又はサーバＳＶ或いは操作処理端末４００）が通信制御手段として制御することにある。以下、その詳細を順を追って説明する。
【００５１】
なお、以下の説明においては、一例として、ノートＩＤ＝Ｂの電子筆記装置２Ｂが各請求項記載の特定の電子筆記装置に該当し、ペンＩＤ＝Ｂの電子ペン３Ｂが特定の筆記具に該当し、このノートＩＤ＝Ｂの電子筆記装置２ＢとペンＩＤ＝Ｂの電子ペン３Ｂとが１対１で対応する関係にあり、ペンＩＤ＝Ａ，Ｃの電子ペン３Ａ，３Ｃが特定の筆記具識別情報以外の他の筆記具識別情報を有する筆記具に対応する場合を例にとって説明を行う。
【００５２】
また、上記特定の電子筆記装置２Ｂにセットされた用紙７０を用紙７０Ｂ、用紙７０Ｂに書き込まれた筆記内容Ｒのうち、電子ペン３Ａで書き込まれたものを筆記内容ＲＡ、電子ペン３Ｂで書き込まれたものを筆記内容ＲＢ、電子ペン３Ｃで書き込まれたものを筆記内容ＲＣとする。
【００５３】
また、サーバＳＶの記憶領域（ＨＤＤ）には、例えば、ノートＩＤ＝Ａに対応したフォルダＦＡ、ノートＩＤ＝Ｂに対応したフォルダＦＢ、ノートＩＤ＝Ｃに対応したフォルダＦＣの合計３つのフォルダが設けられているものとする。
【００５４】
ここで、例えば、上述した特定の電子筆記装置２Ｂ（ノートＩＤ＝Ｂ）と特定の電子ペン３Ｂ（ペンＩＤ＝Ｂ）とが１対１で対応づけられている（以下適宜、「特定のペアリング」という）とともに、他の電子ペン３Ａ（ペンＩＤ＝Ａ）は図１で示す電子筆記装置２Ａ（ノートＩＤ＝Ａ）と１対１で対応づけられている（以下適宜、単に「ペアリング」という）されており、他の電子ペン３Ｃ（ペンＩＤ＝Ｃ）は図１で示す電子筆記装置２Ｃ（ノートＩＤ＝Ｃ）と１対１で対応づけられている（以下適宜、単に「ペアリング」という）されている。したがって、通常の使用状態である場合、すなわち、各ノートＩＤとペンＩＤとに混在がない場合には、それぞれの特定のペアリング又はペアリングされた各電子筆記装置２Ａ，２Ｂ，２Ｃの各ノートＩＤに対応したサーバＳＶのフォルダＦＡ，ＦＢ，ＦＣに筆記内容ＲＡ，ＲＢ，ＲＣが記憶される。これに対し、ノートＩＤとペンＩＤとに混在がある場合、例えば、特定のペアリングである電子筆記装置２Ｂと電子ペン３Ｂに対して、他の電子筆記装置２Ａ又は２Ｃとでペアリングとなっている電子ペン３Ａ又は電子ペン３Ｃを用いて電子筆記装置２Ｂに筆記を行った場合、本実施の形態においては、以下に示すようなフォルダ制御を実行することができるようになっている。
【００５５】
（特定のペアリングに対して混在した筆記がない場合）
図８に、本実施形態で用いられる特定のペアリングである電子筆記装置２Ｂに設けた用紙７０Ｂのフリー書込領域７１に対し、電子ペン３Ｂを用いて筆記内容ＲＢとして、例えば、８月６日の月日を表す「８／６」が左上に記載され、午前１０時からの予定内容を表す「ＡＭ１０：００〜Ａ社プレゼン」と、午後２時からの予定内容を表す「ＰＭ２：００〜技術打合せ」との横書きの一群の文字列が上下２列に書き込まれたとする。
【００５６】
この場合、電子筆記装置２Ｂは、ＩＤ読取部２１１でその記載を行ったペンＩＤ（ペンＩＤ＝Ｂ）を読み取るとともに、座標検出部２４で座標を検出し（図５参照）、その座標情報（図６参照）をＩＤ読取部２１１で読み取ったペンＩＤ（ペンＩＤ＝Ｂ）と対応付けしたストロークデータとして（図７参照）、座標情報記憶領域２０４１とペンＩＤ記憶領域２０４２とに記憶する。
【００５７】
この場合、本実施の形態では、最終的に、筆記内容ＲＢは、ユーザ自らが記載した筆記内容ＲＢを、サーバＳＶのうちノートＩＤ＝Ｂに対応するユーザの意図するフォルダＦＢに記憶する。
【００５８】
（特定のペアリングに対して混在した筆記がある場合）
一方、図９に示すように、本実施形態で用いられる特定のペアリングである電子筆記装置２Ｂに設けた用紙７０Ｂのフリー書込領域７１に対し、電子ペン３Ｂを用いた上記筆記内容ＲＢに加え、例えば、電子ペン３Ａを用いた筆記内容ＲＡとして「Ａ社ＮＤＡ締結プレゼン資料」が書き込まれ、電子ペン３Ｃを用いた上記筆記内容ＲＣ「２０１１  ４，２９  １４：００〜Ｎ社打合せ」が書き込まれたとする。
【００５９】
この場合、電子筆記装置２Ｂは、ＩＤ読取部２１１でその記載を行ったペンＩＤ（ペンＩＤ＝Ｂ、ペンＩＤ＝Ａ、ペンＩＤ＝Ｃ）を読み取るとともに、座標検出部２４で座標を検出し（図５参照）、その座標情報（図６参照）をＩＤ読取部２１１で読み取ったペンＩＤ（ペンＩＤ＝Ｂ、ペンＩＤ＝Ａ、ペンＩＤ＝Ｃ）と対応付けしたストロークデータとして（図７参照）、座標情報記憶領域２０４１とペンＩＤ記憶領域２０４２とに記憶する。
【００６０】
この場合、本実施の形態では、最終的に、筆記内容ＲＢ，ＲＡ，ＲＣは、ユーザ自らが記載した筆記内容ＲＢの他、他のユーザが記載した筆記内容ＲＡ，ＲＣを、サーバＳＶのうちノートＩＤ＝Ｂに対応するユーザの意図するフォルダＦＢに記憶する。
【００６１】
同時に、筆記内容ＲＢ，ＲＡ，ＲＣを、サーバＳＶのうちノートＩＤ＝Ａ及びノートＩＤ＝Ｃに対応するフォルダＦＡ，ＦＣに記憶する。
【００６２】
この際、例えば、図１０に示すように、電子筆記装置２Ｂの所有者となるノートＩＤ＝Ｂに対応するフォルダＦＢには、筆記内容ＲＢ，ＲＡ，ＲＣの全てを記憶し、他の電子ペン３Ａ，３Ｃを所有するユーザによる記載である筆記内容ＲＡ及び筆記内容ＲＣのみをノートＩＤ＝Ａ及びノートＩＤ＝Ｃに対応するフォルダＦＡ，ＦＣに記憶してもよい。
【００６３】
図１１は、電子筆記装置２ＢのＣＰＵ２０１が実行する制御ルーチンのフロー図である。
【００６４】
ステップＳ１において、ＣＰＵ２０１は、例えば、電子筆記装置２Ｂのメイン電源（図示せず）の投入により、所定のイニシャライズ（初期化）を行い、ステップＳ２へと移行する、
ステップＳ２において、ＣＰＵ２０１は、どの電子ペン３により記載が行われているのか（行われようとしているのか）、ＩＤ読取部２１１により電子ペン３のＩＤを読み取らせ、ステップＳ３へと移行する。
【００６５】
ステップＳ３において、ＣＰＵ２０１は、用紙７０Ｂのフリー書込領域７１に対する筆記内容である座標を座標検出部２４に読み取らせ、ステップＳ４へと移行する。
【００６６】
ステップＳ４において、ＣＰＵ２０１は、例えば、一筆書き部分の軌跡が途切れたことをトリガーとして、その位置番号と座標情報（ストロークデータ）とをペンＩＤと関連付けして座標情報記憶領域２０４１及びペンＩＤ記憶領域２０４２とに記憶してステップＳ５へと移行する。
【００６７】
ステップＳ５において、ＣＰＵ２０１は、入力部２２に何らかの入力（指示）があったか否かが判定され、入力あり（Ｙｅｓ）の場合にはステップＳ６へと移行し、入力なし（Ｎｏ）の場合にはステップＳ２へとループして次の記載を待機する。
【００６８】
ステップＳ６において、ＣＰＵ２０１は、入力部２２でされた指示が送信指示か否かが判定され、送信指示（Ｙｅｓ）の場合にはステップＳ７へと移行しその他の指示（Ｎｏ）の場合にはステップＳ８へと移行する。
【００６９】
ステップＳ７において、ＣＰＵ２０１は、ノートＩＤ記憶領域２０２３に記憶したノートＩＤ、ペンＩＤ記憶領域２０２４に記憶したノートＩＤと特定のペアリングされているペンＩＤ、座標情報記憶領域２０４１及びペンＩＤ記憶領域２０４２とに記憶したストロークデータとペンＩＤとを関連付けした状態でサーバＳＶへと送信してこのルーチンを終了する。
【００７０】
ステップＳ８において、ＣＰＵ２０１は、送信以外の指示があったことから、該当するその他の指示を実行し、このルーチンを終了する。
【００７１】
なお、ステップＳ７及びステップＳ８のルーチンの後、実際には、例えば、メイン電源がＯＦＦされない限り、ステップＳ２へとループする状態、或いは、別途タイマのカウントによる所定時間経過後のスリープモードへの移行となる。
【００７２】
次に、図１２に基づいて、サーバＳＶ（又は操作処理端末４００）のＣＰＵによる格納ルーチンについて説明する。なお、以下の説明においては、用紙７０Ｂの１枚単位の場合で説明する。
【００７３】
ステップＳ７１において、サーバＳＶは、対応関係にあるノートＩＤとペンＩＤとを取得してステップＳ７２へと移行する。
【００７４】
ステップＳ７２において、サーバＳＶは、ノートＩＤに対応するフォルダＦＢを検索し、そのフォルダＦＢを記憶対象フォルダとしてステップＳ７３へと移行する、
ステップＳ７３において、サーバＳＶは、電子筆記装置２Ｂから送信された記載に関する情報がペンＩＤ＝Ｂであるか否かが判定され、ペンＩＤ＝Ｂの場合（Ｙｅｓ）にはステップＳ７４へと移行し、ペンＩＤ＝Ｂでない場合（Ｎｏ）にはステップＳ７５へと移行する。
【００７５】
ステップＳ７４において、サーバＳＶは、ノートＩＤ＝Ｂと特定のペアリングされたペンＩＤ＝Ｂの電子ペン３Ｂを用いた記載（筆記内容ＲＢ）であるとして、その筆記内容ＲＢをフォルダＦＢに記憶する。
【００７６】
ステップＳ７５において、サーバＳＶは、電子筆記装置２Ｂから送信された記載に関する情報がペンＩＤ＝Ａであるか否かが判定され、ペンＩＤ＝Ａの場合（Ｙｅｓ）にはステップＳ７６へと移行し、ペンＩＤ＝Ａでない場合（Ｎｏ）にはステップＳ７７へと移行する。
【００７７】
ステップＳ７６において、サーバＳＶは、ノートＩＤ＝Ｂを用いた記載でありながら、ノートＩＤ＝Ｂと特定のペアリングされていないペンＩＤ＝Ａの電子ペン３Ａを用いた記載（筆記内容ＲＡ）であるとして、ペンＩＤ＝Ｂによる筆記内容ＲＢの有無に拘わらず、その筆記内容ＲＡをフォルダＦＢ及びフォルダＦＡに記憶する。
【００７８】
この際、例えば、用紙７０Ｂを単位として、先に（又は後に）ペンＩＤ＝Ｂの筆記内容ＲＢが存在していた場合には、その筆記内容ＲＢを含めて筆記内容ＲＡをフォルダＦＡに記憶する。
【００７９】
ステップＳ７７において、サーバＳＶは、電子筆記装置２Ｂから送信された記載に関する情報がペンＩＤ＝Ｃであるか否かが判定され、ペンＩＤ＝Ｃの場合（Ｙｅｓ）にはステップＳ７８へと移行し、ペンＩＤ＝Ｃでない場合（Ｎｏ）にはステップＳ７９へと移行する。
【００８０】
ステップＳ７８において、サーバＳＶは、ノートＩＤ＝Ｂを用いた記載でありながら、ノートＩＤ＝Ｂと特定のペアリングされていないペンＩＤ＝Ｃの電子ペン３Ｃを用いた記載（筆記内容ＲＣ）であるとして、その筆記内容ＲＣをフォルダＦＢ及びフォルダＦＣに記憶する。
【００８１】
この際、例えば、用紙７０Ｂを単位として、先に（又は後に）ペンＩＤ＝Ｂ又はペンＩＤ＝Ａの筆記内容ＲＢ又は筆記内容ＲＡが存在していた場合には、その筆記内容ＲＢ又は筆記内容ＲＡを含めて筆記内容ＲＣをフォルダＦＣに記憶する。
【００８２】
ステップＳ７９において、サーバＳＶは、電子筆記装置２Ｂから送信された記載に関する情報がペンＩＤ＝Ａ，Ｃであるか否かが判定され、ペンＩＤ＝Ａ，Ｃの場合（Ｙｅｓ）にはステップＳ７８へと移行し、ペンＩＤ＝Ａ，Ｃでない場合（Ｎｏ）にはこのルーチンを終了（又はステップＳ７１へとループ）する。
【００８３】
ステップＳ８０において、サーバＳＶは、ノートＩＤ＝Ｂを用いた記載でありながら、ノートＩＤ＝Ｂと特定のペアリングされていないペンＩＤ＝Ａ，Ｃの電子ペン３Ａ，３Ｃを用いた記載（筆記内容ＲＡ，ＲＣ）であるとして、その筆記内容ＲＡ，ＲＣをフォルダＦＢ、フォルダＦＡ及びフォルダＲＣに記憶する。
【００８４】
この際、例えば、用紙７０Ｂを単位として、先に（又は後に）ペンＩＤ＝Ｂ，ペンＩＤ＝Ａ，ペンＩＤ＝Ｃの筆記内容ＲＢ，筆記内容ＲＡ，筆記内容ＲＣが存在していた場合には、それらの筆記内容を含めて該当するフォルダに記憶する。
【００８５】
なお、ＣＰＵ２０１は、座標情報記憶領域２０４１に記憶されたストロークデータに対し、対応する格納領域の格納領域識別情報（サーバフォルダ名）を付与して送信するように通信制御部２０７を制御してもよい。
【００８６】
これにより、電子筆記装置２が各ストロークデータに対して予め格納先を付与して送信することで、サーバＳＶが、各ストロークデータを該当する格納先へ振り分けて格納する。すなわち、電子筆記装置２は１つのサーバＳＶを送信先とすれば足り、複数の送信先を区別しつつ送信する等の処理は必要ない。この結果、電子筆記装置２側における処理を簡素化することができる。
【００８７】
以上説明したように、本実施形態の電子筆記装置２においては、サーバＳＶに対し情報送受信可能に構成されている。すなわち、電子ペン３を用いた操作者によって用紙７０への筆記が行われると、その筆記動作による電子ペン３の電子筆記装置２に対する相対移動経路に関連する情報であるストロークデータが座標検出部２４によって取得される。
【００８８】
取得されたストロークデータは、座標情報記憶領域２０４１によって記憶された後、通信制御部２０７を介し送信される。サーバＳＶ（のハードディスク等）は、最終的に、ストロークデータを記憶する。これにより、操作者による用紙７０への筆記内容であるストロークデータがサーバＳＶに記憶される。
【００８９】
ここで、本実施の形態の電子筆記装置２は、複数の電子ペン３（例えば、ペンＩＤ＝Ａ，Ｂ，Ｃ）と情報送受信可能に構成されている。したがって、複数の操作者がそれぞれ電子ペン３を用いてほぼ同時期に同一の電子筆記装置２に対して筆記動作を行う場合がある。
【００９０】
このように複数の操作者による筆記動作を検出し、各電子ペン３の各筆記動作に対応するストロークデータを単純にひとまとめにして記憶した後にひとまとめに読み出して表示する手法では、例えば電子筆記装置２の所有者等である自分の電子ペン３を操作しての筆記内容とは関係のない他の電子ペン３を操作した操作者の筆記内容まで記憶したり表示したりすることとなり、各操作者にとっての利便性が低い。
【００９１】
すなわち、各操作者の便宜となるような何らかの適宜の処理（適宜に仕分けをして記憶させる、若しくは、ひとまとめに記憶させるが、読み出すときに適宜に選択抽出する、等）をしたほうが便利である。
【００９２】
そこで、本実施の形態の電子筆記装置２には、固有のノートＩＤが与えられる。また、複数の電子ペン３それぞれにも固有のペンＩＤが与えられる。そして、本実施の形態の電子筆記装置２は、特定の電子ペン３の特定のペンＩＤと１対１に対応（いわゆる特定のペアリング又はペアリング）可能となっており、特定の電子ペン３による筆記内容と、それ以外の電子ペン３の筆記内容とで、上述の処理における態様を異ならせる。
【００９３】
そのために、本実施の形態の電子筆記装置２には、ＩＤ読取部２１１が設けられており、このＩＤ読取部２１１によって、各電子ペン３のうち筆記動作に伴って電子筆記装置２に対して相対移動する電子ペン３よりペンＩＤが取得される。
【００９４】
そして、前述のようにしてＩＤ読取部２１１によりペンＩＤを取得された電子ペン３の電子筆記装置２に対する相対移動経路に関連する情報であるストロークデータは、対応する各電子ペン３のペンＩＤに対応付けて、座標情報記憶領域２０４１に記憶される。そして、記憶されたストロークデータが読み出されて、通信制御部２０７によって送信される。
【００９５】
このとき、本実施の形態の電子筆記装置２には、ストロークデータの送信を行う通信制御部２０７を制御するＣＰＵ２０１又は操作処理端末４００が設けられており、送信されたストロークデータをサーバＳＶが最終的に処理するときに、前述した各操作者の便宜となるような処理を行えるように、通信制御を行う。
【００９６】
具体的には、座標情報記憶領域２０４１に記憶されたストロークデータに係わるペンＩＤが電子筆記装置２と特定のペアリングされた電子ペン３であった場合には、前述したように、ストロークデータは特定のユーザによる筆記内容と決定されることから、他のストロークデータと区別する形でサーバＳＶの特定のユーザに対応した格納領域に格納される。
【００９７】
また、ストロークデータに係わるペンＩＤが電子筆記装置２と特定のペアリングされた電子ペン３以外の電子ペン３であった場合には、前述したように、ストロークデータは電子ペン３の持ち主による筆記内容とも考えられると共に、電子筆記装置２の持ち主による筆記内容とも考えられる。したがって、ストロークデータは、と同様にサーバＳＶの特定のユーザに対応した格納領域に格納されるのに加え、特定のユーザ以外の他のユーザに対応した格納領域にも格納される。
【００９８】
これにより、本実施の形態においては、例えば、電子筆記装置２の持ち主と電子ペン３の持ち主とが一致しているストロークデータについては、持ち主のみに対応した格納領域に記憶させることができる。また、電子筆記装置２の持ち主と電子ペン３の持ち主とが一致していないストロークデータについては、電子筆記装置２の持ち主に対応した格納領域と電子ペン３の持ち主に対応した格納領域との両方に記憶させることができる。
【００９９】
このように、１つの電子筆記装置２に対し複数の操作者による筆記が行われた場合であっても、その筆記内容を、その後各操作者にとって取り扱いやすいように仕分けして記憶させることができる。したがって、各操作者にとっての利便性を確実に向上することができる。
【０１００】
また、ストロークデータの仕分け記憶処理が、用紙７０のページ単位で行われる。これにより、例えば、電子筆記装置２の所有者と電子ペン３の所有者とが一致しているストロークデータ（筆記内容Ｒ）については、そのストロークデータを含むページごと、当該所有者のみに対応したフォルダに記憶される。
【０１０１】
また、電子筆記装置２の所有者と電子ペン３の所有者とが一致していない電子ペン３によるストロークデータについては、その一致していないストロークデータを含むページごと、電子筆記装置２の所有者に対応したフォルダと電子ペン３の所有者に対応したフォルダとの両方に記憶される。
【０１０２】
これにより、処理対象となるストロークデータを、その前後一定の範囲のストロークデータも含めて、仕分けして記憶させることができる。したがって、各操作者にとっての利便性をさらに確実に向上することができる。
【０１０３】
［変形例１］
図１３は、本発明の電子筆記装置２の変形例１を示す。この変形例１では、操作者が用紙７０のチェックボックス（後述）にチェックをすることにより、電子ペン３による用紙７０への実際の記載に対応したストロークデータをサーバＳＶの複数のフォルダ（格納先）への振り分けを自動的行って保存されるものである。
【０１０４】
図１３において、用紙７０の下端部近傍に位置する２つのチェックボックス７２ａ，７２ｂが設けられている。
【０１０５】
「保存」チェックボックス７２ａは、この例では、用紙７０のうち１４０≦Ｘ≦１５５かつ３７５≦Ｙ≦３９０の座標値範囲に対応する部位に設けられており、「削除」チェックボックス７２ｂは、用紙７０のうち１７５≦Ｘ≦１９０かつ３７５≦Ｙ≦３９０の座標値範囲に対応する部位に設けられている。
【０１０６】
ユーザが、電子ペン３を用いてこれらチェックボックス７２ａ，７２ｂのいずれかにチェック「レ」をすると、そのチェック動作に対応したストロークデータが、ＣＰＵ２０１によって、上記各チェックボックスに対応した座標値範囲のいずれかにおいて取得される。
【０１０７】
ＣＰＵ２０１は、予め記憶されたフォーマット情報を参照して、当該チェックボックスにチェックされたことを認識する。ユーザは、「保存」チェックボックス７２ａにチェックすることによって、フリー記載領域７１への記載に対応したストロークデータをサーバＳＶの格納先（フォルダ）への送信及び保存の実行を指示することができる。なお、この「保存」チェックボックス７３ａが各請求項記載の格納指示記入欄として機能し、上記座標位置に対応する座標検出部２４が格納指示検出手段として機能する。
【０１０８】
なお、図１３に示した用紙７０に設けられた「削除」チェックボックス７２ｂは、ユーザが書き損じ等をしてストロークデータを削除したい場合に用いるチェックボックスである。この「削除」チェックボックス７２ｂをユーザがチェックすることにより、直前の記載に対応したストロークデータは、サーバＳＶへ送信されることなく、削除処理される。
【０１０９】
［変形例２］
上記実施の形態では、電子筆記装置２ＢのノートＩＤ＝Ｂに対応する１つのフォルダＦＢに筆記内容ＲＡ，ＲＢ，ＲＣを記録したが、一つのフォルダ内に別々に記憶しても良い。
【０１１０】
例えば、図１４に示すように、電子筆記装置２ＢのノートＩＤ＝Ｂに対応する１つのフォルダＦＢの下層に、対応していないペンＩＤ用のサブフォルダＦＰＡ，ＦＰＣを作成し、このサブフォルダＦＰＡ，ＦＰＣを作成しても良い。なお、ペンＩＤ＝Ｂ用のサブフォルダ（図示せず）を作成し、このペンＩＤ＝Ｂ用のサブフォルダとフォルダＦＢの両方又はペンＩＤ＝Ｂ用のサブフォルダにのみ筆記内容ＲＢを記憶しても良い。
【０１１１】
これにより、例えば、ノートＩＤ＝Ｂに特定のペアリングされた電子ペン３Ｂの記載による筆記内容ＲＢはそのままフォルダＦＢに格納し、他の電子ペン３Ａ，３Ｃの記載による筆記内容ＲＡ，ＲＣに関しては、ペンＩＤに対応したサブフォルダＦＰＡ，ＦＰＣに記憶しても良い。なお、フォルダＦＡ，ＦＣにおいても同様の振り分けを行うことができる。また、フォルダＦＢの下層にノートフォルダを作成し、さらにその下層にサブフォルダＦＰＡ，ＦＰＣを作成しても良い。
【０１１２】
したがって、電子筆記装置等に過去の筆記内容を表示した際に、自分で筆記した記憶がない、明らかに自分の筆記書体ではない、などの場合、誰の筆記又は筆記具によるものなのかを識別できれば、より一層利便性が向上する。
【０１１３】
そこで、上述したように、電子筆記装置と特定のペアリングされた筆記具用のフォルダの下層に、さらに他の筆記具用のサブフォルダを自動で作成し、フォルダ閲覧により、或いは電子筆記装置２（又は操作処理端末４００）に再表示した際の電子ペン３（又は操作処理端末４００のマウス等）の操作によってペンＩＤ等のサブ画面をポップアップ表示等するなどにより、識別を可能とすれば、より一層利便性が向上する。
【０１１４】
また、ポップアップ表示に変えて、画像データを表示する際、どの電子ペン３を使って記載された内容かが分かるように、ペンＩＤ毎に色分け表示するようにしてもよい。
【０１１５】
このように、サーバＳＶの格納領域として、ノートＩＤ＝Ｂに対応したペンＩＤ＝Ｂ用のフォルダＦＢと、他のペンＩＤ＝Ａ，Ｃ用のサブフォルダＦＰＡ，ＦＰＣと、を備え、送信制御部２０７は、
（ｉ）座標情報記憶領域２０４１に記憶されたストロークデータに係わるペンＩＤが、特定のペンＩＤ＝Ｂであった場合には、固有のノートＩＤ＝Ｂ及び当該特定のペンＩＤ＝Ｂに対応した、１つのフォルダＢ（又はフォルダＢ中のペンＩＤ＝Ｂ用のサブフォルダの双方又はサブフォルダにのみ）記憶するための送信を行うように；
（ｉｉ）座標情報記憶領域２０４１に記憶されたストロークデータに係わるペンＩＤが、特定のペンＩＤ＝Ｂ以外の他のペンＩＤ＝Ｂ，Ｃであった場合には、他のペンＩＤ＝Ｂ，Ｃに対応したフォルダＢ，Ｃ（又はフォルダＢ，Ｃ中のサブフォルダ）と、固有のノートＩＤ＝Ｂに対応したフォルダＦＢ（のノートフォルダ）と、の両方へ記憶するための送信を行うように；制御する
ことができる。
【０１１６】
これにより、前述の処理において、電子筆記装置２の持ち主とは一致していない電子ペン３の持ち主とが一致していないストロークデータが、電子筆記装置２の持ち主に対応したフォルダと電子ペン３の持ち主に対応したフォルダとの両方に記憶されたとき、各フォルダにおいて、電子筆記装置２の持ち主の一致に基づき記憶されたストロークデータなのか、電子ペン３の持ち主の一致に基づき記憶されたストロークデータなのかを、容易に識別することができる。
【０１１７】
［変形例３］
上記実施の形態では、ペンＩＤに対応した筆記内容Ｒを各フォルダに触れわけるものを開示したが、図１５に示すように、各フォルダＦＡ，ＦＢ，ＦＣそれぞれの中に、ＴｏＤｏフォルダＦＴＤを設けても良い。
【０１１８】
このＴｏＤｏフォルダＦＴＤは、上述したページ単位での一括振り分け処理とは全く無関係に独立して、誰かが自分の電子ペン３で丸囲みＴＤした筆記内容ＲＴＤは、その部分だけが用紙７０から抽出されて別ファイル化され、その丸囲みＴＤを行った電子ペン３に対応したフォルダＴｏＤｏフォルダＦＴＤに記憶される。
【０１１９】
この場合も、前述の基本原理通り、「１０／９までにリスト作成」及びその丸囲みＴＤを含む用紙７０の全体の筆記内容は、各ファイルに記憶することができる。
【０１２０】
すなわち、座標検出部２４は、取得されたストロークデータに基づき、電子ペン３による電子筆記装置２への筆記内容Ｒを略包囲する包囲線ＴＤを検出する包囲線検出手段を構成しており、サーバＳＶには、包囲線ＴＤの検出に対応したＴｏＤｏフォルダＦＴＤを備えており、送信制御部２０７は、
（ｉ）座標情報記憶領域２０４１に記憶されたストロークデータに係わるペンＩＤが、特定のペンＩＤ＝Ｂであり、かつ、包囲線ＴＤが検出された場合には、座標情報記憶領域２０４１に記憶されたストロークデータのうち、包囲線ＴＤに略包囲された記載に対応したストロークデータの筆記内容ＲＴＤを、固有のノートＩＤ＝Ｂ及び当該特定のペンＩＤ＝Ｂに対応した、１つのフォルダＦＢのＴｏＤｏフォルダＦＴＤへ記憶するための送信を行うように；
（ｉｉ）座標情報記憶領域２０４１に記憶されたストロークデータに係わるペンＩＤが、特定のペンＩＤ＝Ｂ以外の他の筆記具識別情報ペンＩＤ＝Ａ，Ｃであり、かつ、包囲線ＴＤが検出された場合（ノートＢにペンＡ，Ｃで包囲線ＴＤが記載された場合）には、座標情報記憶領域２０４１に記憶されたストロークデータのうち、包囲線ＴＤに略包囲された記載に対応したストロークデータ（＝囲まれた文字列）を、他のペンＩＤ＝Ａ，Ｃに対応したフォルダＦＡ，ＦＣ）のＴｏＤｏフォルダＦＴＤへ記憶するための送信を行うように；
制御する。
【０１２１】
これにより、例えば、電子筆記装置２の持ち主と電子ペン３の持ち主とが一致しているストロークデータが当該持ち主のみに対応したフォルダＦに記憶されるときに、特に包囲線ＴＤで囲まれた部分の筆記内容ＲＴＤについては、当該フォルダのＴｏＤｏフォルダＦＴＤに別に抜き出した形で保存することができる。
【０１２２】
同様に、電子筆記装置２の持ち主と電子ペン３の持ち主とが一致していないストロークデータについても、電子筆記装置２の持ち主に対応したフォルダや電子ペン３の持ち主に対応したフォルダに記憶されるとき、特に包囲線ＴＤで囲まれた部分の筆記内容ＲＴＤについては、それぞれのフォルダ内のＴｏＤｏフォルダＦＴＤに別に抜き出した形で保存することができる。
【０１２３】
したがって、操作者は、例えば自らが実行すべき内容の記述等、特に重要な筆記内容Ｒについては、自分の電子ペン３を用いて当該筆記内容Ｒを囲むように筆記を行えばよい。
【０１２４】
これにより、当該筆記内容に対応した筆記内容Ｒであるストロークデータを、自分に対応したサーバＳＶ内の格納先へ特に目立つようにして格納することができる。この結果、各操作者にとっての利便性をさらに確実に向上することができる。
【０１２５】
なお、本発明は、上記実施形態に限られるものではなく、その趣旨及び技術的思想を逸脱しない範囲内で種々の変形が可能である。
【０１２６】
（１）フィルタリング機能を付与して呼び出す場合
上記実施の形態では、サーバＳＶに電子ペン３のペンＩＤと対応したフォルダに記憶する場合で説明したが、例えば、サーバＳＶの各フォルダに格納した後に、そのフォルダから操作処理端末４００又は電子筆記装置２に再度呼び出す際に、フィルタリング機能を付与して呼び出すようにしてもよい。
【０１２７】
すなわち、ストロークデータに係わるペンＩＤが特定のペンＩＤであった場合、すなわち電子筆記装置２と特定のペアリングされた電子ペン３であった場合には、サーバＳＶが、ストロークデータに対して、電子ペン３及び電子筆記装置２に対応して予め設定された１つのフィルタリング機能を行えるような態様とする。
【０１２８】
具体的には、ストロークデータは特定のユーザによる筆記内容と決定されることから、ストロークデータが、他のストロークデータと区別する形でサーバＳＶの特定の１つの格納領域に格納される。あるいは、ストロークデータは他のストロークデータと区別せず記憶されるが、サーバＳＶから読み出して表示するときに特定の１つの格納領域に格納したのと同等の抽出処理が行われる。
【０１２９】
また、ストロークデータに係わるペンＩＤが特定のペンＩＤ以外の他のペンＩＤであった場合には、サーバＳＶが、ストロークデータに対して、同様の電子筆記装置２に対応して予め設定されたフィルタリング機能と、他のペンＩＤに対応して予め設定されたフィルタリング機能と、を行えるような態様とする。
【０１３０】
具体的には、この場合は、電子筆記装置２の持ち主と電子ペン３の持ち主とが一致せず、ストロークデータは電子ペン３の持ち主による筆記内容とも考えられると共に、電子筆記装置２の持ち主による筆記内容とも考えられる。したがって、ストロークデータは、と同様にサーバＳＶの特定の１つの格納領域（特定のユーザに対応した格納領域）に格納されるか、サーバＳＶから読み出して表示するときに特定の格納領域に格納したのと同等の抽出処理が行われる。またこれに加え、ストロークデータはさらに、他のペンＩＤに対応したサーバＳＶの少なくとも１つの格納領域（言い替えれば特定のユーザ以外の他のユーザに対応した格納領域）に格納される。あるいは、ストロークデータが他のストロークデータと区別せず記憶されるが、サーバＳＶから読み出して表示するときに少なくとも１つの格納領域に格納したのと同等の抽出処理が行われる。
【０１３１】
（２）電子筆記装置２とサーバＳＶとを１対１で対応づけ
上記実施の形態では、一つのサーバＳＶに電子筆記装置２に対応したフォルダ「ＦＡ」，「ＦＢ」，「ＦＣ」を設けて振り分け格納する場合で説明したが、電子筆記装置２とそれぞれ１対１で対応づけられるサーバＳＶを設けて、操作処理端末４００からの送信自体を各サーバＳＶに分けて送信することも可能である。
【０１３２】
なお、図１１，図１２に示すフローチャートは本発明を上記フローに示す手順に限定するものではなく、発明の趣旨及び技術的思想を逸脱しない範囲内で手順の追加・削除又は順番の変更等をしてもよい。
【０１３３】
また、以上既に述べた以外にも、上記実施形態や各変形例による手法を適宜組み合わせて利用しても良い。
【０１３４】
その他、一々例示はしないが、本発明は、その趣旨を逸脱しない範囲内において、種々の変更が加えられて実施されるものである。
【符号の説明】
【０１３５】
２                電子筆記装置
２Ａ              電子筆記装置（ノートＩＤ＝Ａ）
２Ｂ              電子筆記装置（ノートＩＤ＝Ｂ）
２Ｃ              電子筆記装置（ノートＩＤ＝Ｃ）
３                電子ペン（筆記具）
３Ａ              電子ペン（筆記具：ペンＩＤ＝Ａ）
３Ｂ              電子ペン（筆記具：ペンＩＤ＝Ｂ）
３Ｃ              電子ペン（筆記具：ペンＩＤ＝Ｃ）
２４              座標検出部（移動経路情報取得手段）
７０              用紙（被筆記媒体）
２０１            ＣＰＵ（送信制御手段）
２０３            ＲＡＭ
２０７            通信制御部（送信手段）
２１１            ＩＤ検出部（筆記具識別情報取得手段）
４００            操作処理端末
２０２３          ノートＩＤ記憶領域
２０２４          ペンＩＤ記憶領域
２０４１          座標情報記憶領域（情報記憶手段）
２０４２          ペンＩＤ記憶領域
ＦＡ〜ＦＣ        フォルダ
ＴＤ              包囲線
ＳＶ              サーバ（外部記憶装置）
【図１】
2015069556.tif 000003
【図２】
2015069556.tif 000004
【図３】
2015069556.tif 000005
【図４】
2015069556.tif 000006
【図５】
2015069556.tif 000007
【図６】
2015069556.tif 000008
【図７】
2015069556.tif 000009
【図８】
2015069556.tif 000010
【図９】
2015069556.tif 000011
【図１０】
2015069556.tif 000012
【図１１】
2015069556.tif 000013
【図１２】
2015069556.tif 000014
【図１３】
2015069556.tif 000015
【図１４】
2015069556.tif 000016
【図１５】
2015069556.tif 000017
【手続補正書】
【提出日】平成25年11月7日(2013.11.7)
【手続補正２】
【補正対象書類名】明細書
【補正対象項目名】０００１
【補正方法】変更
【補正の内容】
【０００１】
［技術分野］
本発明は、操作者による筆記内容を電子データ化する電子筆記装置、筆記情報処理プログラム、電子筆記システム及び筆記データ処理装置に関する。
［背景技術］
操作者が筆記具を用いて筆記した内容を電子データ化する電子筆記装置が既に知られている（例えば、特許文献１参照）。